(57)【要約】【課題】シートの移動防止のためのストッパに、回転軸からスライドカムを通じて安定して駆動伝達できる装置を提供する。【解決手段】装置は、支持部１８９に支持された記録用紙Ｓを給送向き８７に給送する給送部７２と、記録用紙Ｓの先端と当接して案内する上面６９及び上面６９から凹んだ凹部８６を有する下側ガイド部材９７と、記録用紙Ｓの先端と当接可能な面１２１を有し、面１２１が凹部８６から突出する突出位置及び凹部８６内に埋没する埋没位置に移動可能な当接部材１１７と、回転軸５０から駆動伝達されて凹部８６内を給送向き８７へ移動することで当接部材１１７を突出位置へ移動させ、凹部８６内を給送向き８７と逆向きへ移動することで当接部材１１７を埋没位置へ移動させるスライド部材１１６と、当接部材１１７が突出位置へ移動するようにスライド部材１１６を移動させている回転軸５０に当接する当接部１４０とを具備する。【選択図】図９
2015193444.tif 000002
【特許請求の範囲】
【請求項１】
シートを支持するシート支持部と、
上記シート支持部に支持されたシートを給送向きに給送する給送部と、
上記シート支持部に支持されたシートの上記給送向き下流側の先端と当接して当該シートを案内するシート当接面、及び当該シート当接面から凹んだ凹部を有するガイド部と、
上記ガイド部を支持するガイド支持部と、
上記シート支持部に支持されたシートの先端と当接可能な制止面を有しており、当該制止面が上記ガイド部の凹部から突出して上記シート支持部に支持されたシートの先端と当接する突出位置及び上記凹部内に埋没して上記シート支持部に支持されたシートの先端から離間する埋没位置に移動可能なストッパと、
回転駆動する駆動源と、
上記駆動源から駆動伝達されて回転する回転軸と、
上記回転軸から駆動伝達されて上記凹部内を上記給送向きへ移動することにより上記ストッパを上記突出位置へ向かって移動させ、上記凹部内を上記給送向きと逆向きへ移動することにより上記ストッパを上記埋没位置へ向かって移動させるスライドカムと、
上記回転軸に対して上記給送向きと反対向き側に配置されており、上記ストッパが上記突出位置へ移動するように上記スライドカムを移動させている上記回転軸に当接する当接部と、を具備する給送装置。
【請求項２】
上記当接部は、上記ガイド部と一体に設けられている請求項１に記載の給送装置。
【請求項３】
上記当接部は、上記回転軸の上記給送向きと反対側から上記給送向き側まで延びている請求項１又は２に記載の給送装置。
【請求項４】
上記ガイド支持部は、上記回転軸の両端側をそれぞれ支持する軸受け部を有しており、
上記当接部は、上記軸受け部の間に配置されたものである請求項１から３のいずれかに記載の給送装置。
【請求項５】
上記ガイド部は、上記シート当接面に、上記給送部により給送されるシートを分離する分離部を備えており、
上記ストッパは、上記分離部を挟んで２つ設けられている請求項１から４のいずれかに記載の給送装置。
【請求項６】
上記当接部は、上記回転軸の軸線と平行な方向において上記分離部と上記ストッパとの間に配置されている請求項５に記載の給送装置。
【請求項７】
上記スライドカムに当接して、上記スライドカムの移動を上記ストッパが上記突出位置となる位置で規制する突出規制部と、
上記スライドカムに当接して、上記スライドカムの移動を上記ストッパが上記埋没位置となる位置で規制する埋没規制部と、
上記駆動源から上記回転軸への駆動伝達の有無を切り替えるものであり、上記突出規制部または上記埋没規制部によって上記スライドカムの移動が規制されると、上記駆動源から上記回転軸への駆動伝達を切断するトルクリミッタと、を更に備える請求項１から６のいずれかに記載の給送装置。
【請求項８】
請求項１から７のいずれかに記載の給送装置と、
上記ガイド部よりも上記給送向き下流側に設けられており、上記給送部によって給送されたシートに画像を記録する記録部と、を備える画像記録装置。
【発明の詳細な説明】
【技術分野】
【０００１】
本発明は、支持部に支持されたシートを給送する給送装置、及び当該給送装置を備えた画像記録装置に関する。
【背景技術】
【０００２】
従来より、シートを支持する支持部を有し、支持部に支持されたシートを画像記録装置などに給送する給送装置が知られている。このような給送装置の中には、複数枚が積層された状態のシートを支持する支持部を備えるものがある。この場合、給送ローラが支持部に支持されたシートのうち最上位置のシートと当接して、この最上位置のシートを目的地に向かって給送するのである（特許文献１）。
【先行技術文献】
【特許文献】
【０００３】
【特許文献１】特開平１０−１３９１９７号公報
【発明の概要】
【発明が解決しようとする課題】
【０００４】
前述されたような給送装置において、支持部がシートを傾斜した状態で支持しており且つ当該シートが傾斜向きに沿って斜め下向きに給送されるように構成されている場合、支持部に支持されたシートから給送ローラが離間した状態において、シートが給送向きに動いてしまうおそれがある。
【０００５】
そこで、支持部に支持されたシートの給送向き下流側にストッパを設けることが考えられる。このストッパは、シートが給送されない状態、つまり給送ローラがシートから離間した状態において、給送向きにおけるシートの下流側端部と当接してシートの給送向きへの移動を規制する規制位置に位置する。一方、このストッパは、シートが給送される状態、つまり給送ローラがシートに当接した状態において、給送向きにおけるシートの下流側端部と当接しない退避位置に位置する。すなわち、このストッパは規制位置と退避位置との間で移動可能に構成されている。
【０００６】
給送ローラなどを回転駆動するモータからストッパへ駆動伝達して、ストッパを規制位置又は退避位置へ直線的に移動させるために、回転運動を直線運動に変換するスライドカムが用いられる。このスライドカムへの駆動伝達において、回転運動する軸が負荷により撓んだり捻れたりすると、所望の規制位置にストッパが到達せず、ストッパによるシートの制止機能が十分に発揮されないおそれがある。
【０００７】
本発明は、上記問題に鑑みてなされたものであり、その目的は、非給送時におけるシートの移動を防止するためのストッパに、回転軸からスライドカムを通じて安定して駆動伝達できる手段を提供することにある。
【課題を解決するための手段】
【０００８】
(1)  本発明に係る給送装置は、シートを支持するシート支持部と、上記シート支持部に支持されたシートを給送向きに給送する給送部と、上記シート支持部に支持されたシートの上記給送向き下流側の先端と当接して当該シートを案内するシート当接面、及び当該シート当接面から凹んだ凹部を有するガイド部と、上記ガイド部を支持するガイド支持部と、上記シート支持部に支持されたシートの先端と当接可能な制止面を有しており、当該制止面が上記ガイド部の凹部から突出して上記シート支持部に支持されたシートの先端と当接する突出位置及び上記凹部内に埋没して上記シート支持部に支持されたシートの先端から離間する埋没位置に移動可能なストッパと、回転駆動する駆動源と、上記駆動源から駆動伝達されて回転する回転軸と、上記回転軸から駆動伝達されて上記凹部内を上記給送向きへ移動することにより上記ストッパを上記突出位置へ向かって移動させ、上記凹部内を上記給送向きと逆向きへ移動することにより上記ストッパを上記埋没位置へ向かって移動させるスライドカムと、上記回転軸に対して上記給送向きと反対向き側に配置されており、上記ストッパが上記突出位置へ移動するように上記スライドカムを移動させている上記回転軸に当接する当接部と、を具備する。
【０００９】
駆動源から駆動伝達されて回転軸が一方向きへ回転すると、給送向きへ移動するスライドカムが埋没位置のストッパを突出位置へ移動させる。このときに、回転軸が給送向きと反対向きへ撓み始めても、当接部が回転軸に当接して回転軸が反対向きへ撓むことを抑制する。
【００１０】
(2)  好ましくは、上記当接部は、上記ガイド部と一体に設けられている。
【００１１】
これにより、回転軸とガイド部との相対的な位置関係を維持して、スライドカムによりストッパを所定の突出位置に正確に位置させることができる。
【００１２】
(3)  好ましくは、上記当接部は、上記回転軸の上記給送向きと反対側から上記給送向き側まで延びている。
【００１３】
駆動源から駆動伝達されて回転軸が他方向きへ回転すると、給送向きと反対向きへ移動するスライドカムが突出位置のストッパを埋没位置へ移動させる。このときに、回転軸が給送向きへ撓み始めても、当接部が回転軸に当接して回転軸が給送向きへ撓むことを抑制する。
【００１４】
(4)  好ましくは、上記ガイド支持部は、上記回転軸の両端側をそれぞれ支持する軸受け部を有しており、上記当接部は、上記軸受け部の間に配置されたものであってもよい。
【００１５】
これにより、軸受け部の間において回転軸が撓むことを抑制できる。
【００１６】
(5)  好ましくは、上記ガイド部は、上記シート当接面に、上記給送部により給送されるシートを分離する分離部を備えており、上記ストッパは、上記分離部を挟んで２つ設けられている。
【００１７】
２つのストッパにより、シート支持部に支持されたシートに対して均等にストッパの制止力を作用させることができる。
【００１８】
(6)  好ましくは、上記当接部は、上記回転軸の軸線と平行な方向において上記分離部と上記ストッパとの間に配置されている。
【００１９】
(7)  好ましくは、上記給送装置は、上記スライドカムに当接して、上記スライドカムの移動を上記ストッパが上記突出位置となる位置で規制する突出規制部と、上記スライドカムに当接して、上記スライドカムの移動を上記ストッパが上記埋没位置となる位置で規制する埋没規制部と、上記駆動源から上記回転軸への駆動伝達の有無を切り替えるものであり、上記突出規制部または上記退避規制部によって上記スライドカムの移動が規制されると、上記駆動源から上記回転軸への駆動伝達を切断するトルクリミッタと、を更に備える。
【００２０】
これにより、スライドカムの移動の規制によって回転軸が回転不可能な状態となっても、回転軸とは異なる駆動部へ駆動源から連続して駆動伝達することができる。
【００２１】
(8)  本発明は、上記給送装置と、上記ガイド部よりも上記給送向き下流側に設けられており、上記給送部によって給送されたシートに画像を記録する記録部と、を備える画像記録装置として捉えられてもよい。
【発明の効果】
【００２２】
本発明によれば、非給送時におけるシートの移動を防止するためのストッパに、回転軸からスライドカムを通じて安定して駆動伝達して、ストッパを所望の位置へ位置せしめることができる。
【図面の簡単な説明】
【００２３】
【図１】図１は、複合機１０の外観斜視図である。
【図２】図２は、プリンタ部１１の内部構造を示す縦断面図である。
【図３】図３は、プリンタ部１１の内部構造を模式的に示す縦断面図である。
【図４】図４は、可動部１８６が倒伏状態のバイパストレイ７１を示す斜視図である。
【図５】図５は、給送装置７０の斜視図である。
【図６】図６は、移動部材６４周辺部の断面図であり、（Ａ）には当接部材１１７が埋没位置の状態が示されており、（Ｂ）には当接部材１１７が突出位置の状態が示されている。
【図７】図７は、給送装置７０の断面図であり、（Ａ）には給送ローラ７５が平面４５と当接した状態が示されており、（Ｂ）には給送ローラ７５が平面４５から離間した状態が示されている。
【図８】図８は、下側ガイド部材９７と下側カバー１５１との斜視図である。
【図９】図９は、下側ガイド部材９７と下側カバー１５１と回転軸５０と移動部材６４との斜視図である。
【発明を実施するための形態】
【００２４】
以下、本発明の実施形態に係る複合機１０について説明する。なお、以下に説明される実施形態は本発明の一例にすぎず、本発明の要旨を変更しない範囲で、実施形態を適宜変更できることは言うまでもない。また、以下の説明においては、複合機１０が使用可能に設置された状態（図１の状態）を基準として上下方向７が定義され、開口１３が設けられている側を手前側（前面）として前後方向８が定義され、複合機１０を手前側（前面）から視て左右方向９が定義される。
【００２５】
［複合機１０の全体構成］
図１に示されるように、複合機１０は、概ね直方体に形成されており、インクジェット記録方式で記録用紙Ｓ（図３参照）などのシートに画像を記録するプリンタ部１１を備えている。複合機１０は、ファクシミリ機能及びプリント機能などの各種の機能を有している。
【００２６】
プリンタ部１１は、前面に開口１３が形成された筐体１４を有している。また、各種サイズの記録用紙Ｓを収容可能な給送トレイ２０及び排出トレイ２１が、開口１３から前後方向８に挿抜可能である。筐体１４の底面が、複合機１０が設置される載置面に当接する。
【００２７】
図２に示されるように、プリンタ部１１は、給送トレイ２０から記録用紙Ｓを給送する給送部１５、記録用紙Ｓに画像を記録する記録部２４、第１搬送ローラ対５９、及び第２搬送ローラ対１８０などを備えている。
【００２８】
図１に示されるように、プリンタ部１１の上方には、スキャナ部１２が設けられている。スキャナ部１２は、フラットベッドスキャナである。なお、フラットベッドスキャナの構造は公知であるので、ここでは詳細な説明が省略される。
【００２９】
［プリンタ部１１］
以下、プリンタ部１１の詳細な構造が説明される。プリンタ部１１は画像記録装置の一例である。
【００３０】
［給送トレイ２０］
図１及び図２に示される給送トレイ２０は、前後方向８及び左右方向９の長さが上下方向７の長さよりも長い外形であって、上面が開放された箱型の形状を有している。給送トレイ２０の上面前側には、排出トレイ２１が設けられている。給送トレイ２０は、例えば日本工業規格によるＡ４サイズから写真記録に用いられるＬ版などの大小様々なサイズの記録用紙Ｓを支持面で支持することにより記録用紙Ｓを収容可能である。給送トレイ２０は、筐体１４の開口１３に通ずる内部空間に着脱自在に装着される。この給送トレイ２０は、開口１３を通じて筐体１４に対して前後方向８に沿って進退可能である。
【００３１】
［給送部１５］
図２に示されるように、給送部１５は、給送ローラ２５、給送アーム２６、及び駆動伝達機構２７を備えている。給送部１５は、給送トレイ２０の上方であって記録部２４の下方に設けられている。給送ローラ２５は、給送アーム２６の先端部に回転可能に軸支されている。給送アーム２６は、基端部に設けられた回動軸２８を中心として、矢印２９の方向に回動する。これにより、給送ローラ２５は、給送トレイ２０の支持面に対して当接及び離間が可能である。したがって、記録用紙Ｓを収容して給送トレイ２０が筐体１４内に装着されたとき、給送ローラ２５は、給送トレイ２０に収容された記録用紙Ｓに当接可能である。
【００３２】
給送ローラ２５には、後述するモータ７８（図３参照）の駆動力が駆動伝達機構２７を通じて伝達される。駆動伝達機構２７は、回動軸２８に伝達された回転を無端ベルトにより給送ローラ２５の軸へ伝達する。給送ローラ２５が、給送トレイ２０の支持面上に支持された記録用紙Ｓのうち一番上側の記録用紙Ｓに当接された状態で回転することにより、当該記録用紙Ｓが搬送経路６５へ向けて給送される。なお、給送ローラ２５は、モータ７８とは別に設けられたモータから駆動伝達されてもよい。
【００３３】
［搬送経路６５］
図２に示されるように、筐体１４の内部空間に設けられた搬送経路６５は、給送トレイ２０の後側から上方へＵターンするように湾曲して延び、さらにプリンタ部１１の後ろ側から前側へ曲がった後、更に前側へ向かってほぼ真っ直ぐに延びて排出トレイ２１に至っている。搬送経路６５は、Ｕターンする湾曲路６５Ａと、真っ直ぐな直線路６５Ｂとに大別される。
【００３４】
湾曲路６５Ａは、記録用紙Ｓが通過可能な空間を隔てて対向する外側ガイド部材１８、内側ガイド部材１９、及びガイド部材３１などによって規定されている。直線路６５Ｂは、記録用紙Ｓが通過可能な空間を隔てて対向する記録部２４及びプラテン４２、並びにガイド部材３４及びガイド部材３３などによって規定されている。
【００３５】
給送トレイ２０の給送ローラ２５によって搬送経路６５に沿って給送された記録用紙Ｓは、湾曲路６５Ａに沿って下方から上方へ向かって搬送向き１７（図３参照）が反転され、直線路６５Ｂに沿って搬送向き１７が反転することなく後方から前方へ向かって搬送される。
【００３６】
［第１搬送ローラ対５９及び第２搬送ローラ対１８０］
図２に示されるように、搬送経路６５に沿った記録用紙Ｓの搬送向き１７における記録部２４の上流側には、第１搬送ローラ対５９が設けられている。第１搬送ローラ対５９は、第１搬送ローラ６０とピンチローラ６１とを有する。同様に、搬送向き１７における記録部２４の下流側には、第２搬送ローラ対１８０が設けられている。第２搬送ローラ対１８０は、第２搬送ローラ６２と拍車ローラ６３とを有する。
【００３７】
第１搬送ローラ６０及び第２搬送ローラ６２は、後述するモータ７８（図３参照）の回転が伝達されて回転する。第１搬送ローラ対５９及び第２搬送ローラ対１８０は、それぞれを構成する各ローラの間に記録用紙Ｓを挟持した状態において、第１搬送ローラ６０及び第２搬送ローラ６２が回転することによって、記録用紙Ｓを搬送経路６５に沿って搬送向き１７に搬送する。なお、第１搬送ローラ６０及び第２搬送ローラ６２は、モータ７８とは別に設けられたモータから駆動伝達されてもよい。
【００３８】
［記録部２４］
図２に示されるように、第１搬送ローラ対５９と第２搬送ローラ対１８０との間に記録部２４が設けられている。記録部２４は、後述する下側ガイド部材９７よりも後述する給送向き８７（図３参照）の下流側に設けられている。記録部２４は、キャリッジ４０と記録ヘッド３９とを備えている。キャリッジ４０は、プラテン４２の後側及び前側に設けられたガイドレール４３，４４によって左右方向９に往復動可能に支持されている。
【００３９】
記録ヘッド３９は、キャリッジ４０に搭載されている。記録ヘッド３９の下面には、複数のノズル３８（図３参照）が形成されている。記録ヘッド３９には、インクカートリッジ（不図示）からインクが供給される。記録ヘッド３９は、複数のノズル３８からインクを微小なインク滴として選択的に吐出する。キャリッジ４０が左右方向９へ移動しているときに、給送部１５または後述する給送部７２（図３参照）によって給送されてプラテン４２に支持されている記録用紙Ｓに対してノズル３８からインク滴が吐出される。吐出されたインク滴がプラテン４２上の記録用紙Ｓに付着することにより、記録用紙Ｓに画像が記録される。
【００４０】
［バイパス経路１８２］
図２に示されるように、筐体１４の後面において開口１８４が設けられている。筐体１４の内部には、開口１８４から第１搬送ローラ対５９へと延びるバイパス経路１８２が形成されている。バイパス経路１８２は、筐体１４の内部において前後方向８の後方から前方へ斜め下方に向かって延びる経路である。バイパス経路１８２は、ガイド部材３１及び外側ガイド部材１８などによって規定されている。搬送経路６５は、バイパス経路１８２より下方に配置されている。
【００４１】
後述されるバイパストレイ７１（図３参照）に収容された記録用紙Ｓは、バイパス経路１８２に沿って斜め下方へ案内される。その記録用紙Ｓは、搬送経路６５の直線路６５Ｂに沿って案内され、第１搬送ローラ対５９により搬送される。その記録用紙Ｓは、更に記録部２４によって画像記録が行われて、排出トレイ２１へ排出される。
【００４２】
［給送装置７０］
図３、図５、図７及び図８に示されるように、プリンタ部１１は、給送装置７０を備えている。給送装置７０は、バイパストレイ７１と、給送部７２と、下側ガイド部材９７（本発明のガイド部の一例）と、当接部材１１７（本発明のストッパの一例）と、モータ７８（本発明の駆動源の一例）と、回転軸５０と、スライド部材１１６（本発明のスライドカムの一例）と、当接部１４０と、を備えている。
【００４３】
［バイパストレイ７１］
図１に示されるように、バイパストレイ７１は、複合機１０の後面側に設けられている。バイパストレイ７１は、給送トレイ２０とは独立して記録用紙Ｓを収容する。
【００４４】
筐体１４の後面側には、開口１８４（図２参照）を覆うようにして下方へ延びる固定部１８５（本発明のガイド支持部の一例）が設けられている。固定部１８５は、バイパストレイ７１の給送向き８７（図３参照）の下流側の一部を構成している。図４に示されるように、固定部１８５の上側には、可動部１８６が固定部１８５に対して矢印８０、８２の方向に回動可能に設けられている。固定部１８５及び可動部１８６によって、バイパストレイ７１が構成されている。
【００４５】
図４に示されるように、固定部１８５には、支持面１８８を有する支持部材１８９が設けられている。支持面１８８は、バイパス経路１８２（図２参照）まで斜め下方へ延びている。
【００４６】
可動部１８６は、固定部１８５の上側に固定部１８５に対して回動可能に設けられている。可動部１８６は、図１に示されるように上下方向７に沿って起立した起立状態と、図４に示されるように上下方向７に対して傾斜した倒伏状態との間で回動可能である。
【００４７】
起立状態とは、筐体１４の後面側における可動部１８６のためのスペースを小さくするための状態であり、バイパストレイ７１の不使用状態である。倒伏状態とは、可動部１８６を筐体１４の外側へ向かって斜め上方へ傾斜させた状態であり、バイパストレイ７１の使用可能状態である。
【００４８】
可動部１８６の左右方向９の両側には、側壁１９０，１９１が設けられている。側壁１９０，１９１は、固定部１８５の左右方向９の両側の一部を覆っている。固定部１８５の左右方向９の右側に設けられた駆動伝達機構７９は、可動部１８６の側壁１９０によって覆われている。
【００４９】
図４に示されるように、可動部１８６の側壁１９０，１９１の間に渡って、支持部材１９２が設けられている。倒伏状態において、支持部材１９２の上面に設けられた支持面１９３は、支持面１８８と実質的に同一の平面をなす。つまり、可動部１８６が倒伏状態にあるバイパストレイ７１において、支持部材１８９の支持面１８８及び支持部材１９２の支持面１９３によって形成される平面４５が記録用紙Ｓを支持する。つまり、支持部材１８９、１９２は、本発明のシート支持部の一例である。ここで、「実質的に同一の平面」とは、２つの面の間に僅かに段差があったとしても、支持された記録用紙Ｓが撓んだり湾曲したりしない平面のこと、すなわち、後述する分離部１３２（図５参照）により安定した分離性能が発揮されるように記録用紙Ｓを支持する平面のことをいう。
【００５０】
図３に示されるように、支持部材１８９、１９２の平面４５は、記録用紙Ｓの給送向き８７の先端を重力方向の下側として支持している。
【００５１】
［給送部７２］
図３に示されるように、給送部７２は、給送ローラ７５、給送アーム７６、回動部材３０、及び駆動伝達機構７９を備えている。給送ローラ７５及び給送アーム７６は、バイパストレイ７１の平面４５と対向して配置されている。給送ローラ７５は、給送アーム７６の先端部に回転可能に軸支されている。給送アーム７６は、基端部に設けられた回動軸６６を中心として、矢印６７、６８の方向に回動する。これにより、給送ローラ７５は、平面４５に対して当接及び離間が可能である。したがって、バイパストレイ７１に記録用紙Ｓが収容されたとき、給送ローラ７５は、当該記録用紙Ｓに当接可能であるとともに当該記録用紙Ｓから離間可能である。
【００５２】
給送アーム７６の回動は、給送部７２に設けられた回動部材３０によって実現される。図７に示されるように、回動部材３０は、給送ローラ７５の軸を中心として矢印１０５、１０６の方向に回動することで、図７（Ａ）に示される位置と図７（Ｂ）に示される位置との間を移動する。回動部材３０が図７（Ａ）に示される位置のとき、給送ローラ７５は、平面４５または平面４５に支持された記録用紙Ｓと当接している。この状態において、回動部材３０が矢印１０６の向きに回動すると、給送ローラ７５は回動部材３０によって持ち上げられる（図７（Ｂ）参照）。これにより、給送ローラ７５は、平面４５または平面４５に支持された記録用紙Ｓから離間する。なお、給送アーム７６を回動させる構成は、上記の構成に限らず、公知の構成が採用可能である。
【００５３】
給送ローラ７５には、モータ７８の駆動力が後述する駆動伝達機構７９を通じて伝達される。給送ローラ７５が、平面４５に支持された記録用紙Ｓのうち一番上側の記録用紙Ｓに当接された状態で回転することにより、当該記録用紙Ｓがバイパス経路１８２へ向けて給送向き８７に給送される。当該記録用紙Ｓは、バイパス経路１８２を経て直線路６５Ｂへ送られ、記録部２４によって画像を記録される。
【００５４】
［下側ガイド部材９７］
図３及び図４に示されるように、下側ガイド部材９７が、バイパストレイ７１の支持部材１８９よりも給送向き８７下流側に設けられている。下側ガイド部材９７は、バイパストレイ７１の固定部１８５によって支持されている。なお、下側ガイド部材９７は、固定部１８５以外の部材によって支持されていてもよい。例えば、下側ガイド部材９７は、側壁１９０、１９１によって支持されていてもよい。この場合、側壁１９０、１９１が本発明のガイド支持部の一例である。
【００５５】
下側ガイド部材９７の上面６９（本発明のシート当接面の一例）は、支持面１８８（平面４５）に対して傾斜している。上面６９は、上下方向７において開口１８４（図２参照）とほぼ同等の高さに位置している。
【００５６】
給送ローラ７５によって記録用紙Ｓの給送向き８７への給送が開始されると、下側ガイド部材９７は、当接した記録用紙Ｓの先端を、上面６９に沿って案内する。上面６９の左右方向９の中央部に、上面６９から上方へ突出され且つ前後方向８に沿って並んだ複数の歯を有する分離部１３２（図５参照）が設けられている。これらの歯によって、バイパストレイ７１に支持される複数枚の記録用紙Ｓの先端が捌かれる。また、給送ローラ７５によって複数枚の記録用紙Ｓの先端が上面６９に沿って案内された場合であっても、分離部１３２は、複数枚の記録用紙Ｓのうち給送ローラ７５と当接している最上位置の記録用紙Ｓを、他の記録用紙Ｓから分離する。その結果、給送ローラ７５は最上位置の記録用紙Ｓだけをバイパス経路１８２へ向けて給送することになる。
【００５７】
図５に示されるように、上面６９に、前後方向８に沿って延びた一対の凹部８６が設けられている。凹部８６は、左右方向９において、分離部１３２の右方及び左方にそれぞれ設けられている。すなわち、分離部１３２は、一対の凹部８６の左右方向９におけるほぼ中央に配置されている。後述する移動部材６４が、凹部８６に配置される。図６に示されるように、凹部８６は、底面８４、第１側面１２２（本発明の埋没規制部の一例）、及び第２側面１２３（本発明の突出規制部の一例）によって規定されている。
【００５８】
［駆動伝達機構７９］
図３に示されるように、プリンタ部１１には、正転及び逆転の向きに回転駆動するモータ７８が設けられている。また、図３及び図５に示されるように、複数のギヤが噛合されてなる駆動伝達機構７９が、プリンタ部１１に設けられている。但し、図３においては、第３駆動伝達部３７における回転軸５０以降の構成が省略されている。また、図５においては、第１駆動伝達部３５におけるギヤ４７Ａ以降の構成が省略されている。モータ７８が正転及び逆転することによって発生する回転駆動力は、駆動伝達機構７９を介して給送ローラ７５及び移動部材６４に伝達される。また、図示されていないが、モータ７８によって発生する回転駆動力は、給送ローラ２５、第１搬送ローラ６０、及び第２搬送ローラ６２に伝達される。
【００５９】
図３及び図５に示されるように、駆動伝達機構７９は、第１駆動伝達部３５と、第２駆動伝達部３６と、第３駆動伝達部３７と、中間ギヤ４６とを備えている。
【００６０】
第１駆動伝達部３５は、バイパストレイ７１及び下側ガイド部材９７よりも右方に配置されている。第１駆動伝達部３５は、５個のギヤ４７Ａ、４７Ｂ、４７Ｃ、４７Ｄ、４７Ｅを備えている。４個のギヤ４７Ａ、４７Ｂ、４７Ｃ、４７Ｄは、互いに噛合したギヤ列を構成している。当該ギヤ列の一端に配置されたギヤ４７Ａは、図３に示されるように、モータ７８から駆動伝達される。
【００６１】
ギヤ４７Ｄ、４７Ｅは、上記ギヤ列の他端に配置されている。ギヤ４７Ｄ、４７Ｅは、スラスト方向に並んで配置され且つ同じ回転軸を中心に一体に回転する。ギヤ４７Ｄは、ギヤ４７Ｃと噛合している。ギヤ４７Ｅは、中間ギヤ４６と噛合している。以上より、第１駆動伝達部３５は、モータ７８から中間ギヤ４６へ回転駆動力を伝達する。
【００６２】
第２駆動伝達部３６は、５個のギヤ４８Ａ〜４８Ｅとローラギヤ４９と回動軸６６とを備えている。ギヤ４８Ａ、４８Ｂは、互いに噛合している。回動軸６６は、左右方向９に沿って延設されている。ギヤ４８Ａは、中間ギヤ４６と噛合している。ギヤ４８Ｂは、回動軸６６の右端部に取り付けられており、回動軸６６と一体に回転可能である。
【００６３】
ギヤ４８Ｃ〜４８Ｅは、互いに噛合したギヤ列を構成している。当該ギヤ列の一端に配置されたギヤ４８Ｃは、回動軸６６の左端部に取り付けられており、回動軸６６と一体に回転する。当該ギヤ列の他端に配置されたギヤ４８Ｅは、給送ローラ７５と同軸であって給送ローラ７５と一体に回転するローラギヤ４９と噛合している。ギヤ４８Ｄ、４８Ｅは、給送アーム７６に回転可能に支持されている。以上より、第２駆動伝達部３６は、中間ギヤ４６から給送ローラ７５へ回転駆動力を伝達する。
【００６４】
第３駆動伝達部３７は、２個のギヤ７７Ａ、７７Ｂと、回転軸５０と、回転軸５０から突出した突起５１とを備えている。回転軸５０は、バイパストレイ７１及び下側ガイド部材９７よりも右方から、バイパストレイ７１及び下側ガイド部材９７の左右方向９におけるほぼ中央部まで、左右方向９に沿って延設されている。
【００６５】
ギヤ７７Ａ、７７Ｂは、互いに噛合したギヤ列を構成している。当該ギヤ列の一端に配置されたギヤ７７Ａは、中間ギヤ４６と噛合している。当該ギヤ列の他端に配置されたギヤ７７Ｂは、後述するトルクリミッタ１２７を介して回転軸５０の右端部に連結されている。これにより、ギヤ７７Ｂは、回転軸５０と一体に回転可能であり且つ回転軸５０とは独立して回転可能である。つまり、回転軸５０は、モータ７８から駆動伝達されて回転する。図５及び図６に示されるように、突起５１は、移動部材６４へ向けて突出している。以上より、第３駆動伝達部３７は、中間ギヤ４６から移動部材６４へ回転駆動力を伝達する。
【００６６】
なお、駆動伝達機構７９のギヤの個数は、図３及び図８に示される個数に限らない。また、駆動伝達機構７９の少なくとも一部が、ギヤ以外によって構成されていてもよい。例えば、２つの軸の間に無端ベルトを掛け渡し、一方の軸の回転を他方の軸に伝達するように構成されていてもよい。
【００６７】
［移動部材６４］
図５に示されるように、移動部材６４は、下側ガイド部材９７の上面６９に設けられた凹部８６に配置されている。ここで、上述したように、凹部８６は、分離部１３２の右方及び左方にそれぞれ設けられている。つまり、移動部材６４は、分離部１３２を挟んで２つ設けられている。
【００６８】
図６に示されるように、移動部材６４は、スライド部材１１６と、当接部材１１７と、を備えている。スライド部材１１６は、凹部８６の底面８４に支持されている。当接部材１１７はスライド部材１１６に支持されており、バイパストレイ７１に支持された記録用紙Ｓの給送向き８７の先端に当接可能である。
【００６９】
スライド部材１１６は、回転軸５０から駆動伝達されて、凹部８６内を、凹部８６の底面８４に沿って給送向き８７に沿って移動可能である。スライド部材１１６の面１２０、すなわち、凹部８６の底面８４と接するスライド部材１１６の面と反対側の面１２０に、第１凹部１１８及び第２凹部１１９が設けられている。第１凹部１１８に、第３駆動伝達部３７の突起５１が挿入される。第２凹部１１９に、後述する当接部材１１７の突起５８が挿入可能である。
【００７０】
当接部材１１７は、スライド部材１１６の面１２０に当接している。当接部材１１７は、スライド部材１１６側へ突出した突起５８を備えている。当接部材１１７は、スライド部材１１６の移動に連動して、凹部８６から突出した突出位置（図６（Ｂ）に示される状態のときの当接部材１１７の位置）と、凹部８６に埋没した埋没位置（図６（Ａ）に示される状態のときの当接部材１１７の位置）に移動可能である。
【００７１】
以下に詳述する。図６（Ａ）に示されるように、スライド部材１１６が下側ガイド部材９７の凹部８６の第１側面１２２に当接している状態において、当接部材１１７の突起５８は、スライド部材１１６の第２凹部１１９に挿入されている。この状態において、当接部材１１７は、上面６９から凹部８６内へ埋没しており、埋没位置である。
【００７２】
この状態において、第３駆動伝達部３７の回転軸５０が矢印１２４の向きに回転すると、スライド部材１１６は、回転する回転軸５０と一体に回動した突起５１に押されて、凹部８６の第２側面１２３に向けて給送向き８７に移動する。これにより、第２凹部１１９に挿入されていた突起５８は、第２凹部１１９から脱出して、図６（Ｂ）に示されるように、面１２０に支持される。すなわち、スライド部材１１６の面１２０はカム面を構成している。その結果、当接部材１１７の面１２１（本発明の制止面の一例）は、下側ガイド部材９７の上面６９から突出する。つまり、当接部材１１７は、突出位置となる。以上より、スライド部材１１６は、凹部８６内を給送向き８７へ移動することにより、当接部材１１７を突出位置へ向かって移動させる。
【００７３】
なお、スライド部材１１６は、第２側面１２３に当接するまで移動可能である。つまり、第２側面１２３が移動部材６４のスライド部材１１６に当接することにより、スライド部材１１６の移動が、当接部材１１７が突出位置となる位置で規制される。
【００７４】
図６（Ｂ）に示されるように、スライド部材１１６が第２側面１２３に当接し、且つ当接部材１１７が突出位置である状態において、回転軸５０が矢印１２４と逆向きに回転すると、スライド部材１１６は、突起５１に押されて、凹部８６の第１側面１２２に向けて給送向き８７と逆向きに移動する。これにより、突起５８は、面１２０に沿って案内され、図６（Ａ）に示されるように、第２凹部１１９へ挿入される。その結果、当接部材１１７の面１２１は、下側ガイド部材９７の上面６９から凹部８６内へ埋没する。つまり、当接部材１１７は、埋没位置となる。以上より、スライド部材１１６は、凹部８６内を給送向き８７と逆向きへ移動することにより、当接部材１１７を埋没位置へ向かって移動させる。
【００７５】
なお、スライド部材１１６は、第１側面１２２に当接するまで移動可能である。つまり、第１側面１２２が移動部材６４のスライド部材１１６に当接することにより、スライド部材１１６の移動が、当接部材１１７が埋没位置となる位置で規制される。
【００７６】
図６（Ｂ）に示されるように、当接部材１１７が突出位置のとき、支持部材１８９、１９２の平面４５に支持された記録用紙Ｓの給送向き８７の先端は、当接部材１１７の面１２１に当接可能である。面１２１は、左右方向９（図２の紙面に対して鉛直方向）に延びた溝が一定間隔で形成されていることによって、右方または左方から見た側面視で鋸刃形状となっている。これにより、面１２１に当接した記録用紙Ｓの先端、すなわち、給送向き８７における記録用紙Ｓの下流端は、上記溝に嵌り込む。その結果、記録用紙Ｓの移動は、面１２１によって制止される。なお、面１２１は、当接した記録用紙Ｓを制止可能であるならば、鋸刃形状でなくてもよい。例えば、面１２１は、摩擦係数が高いコルクなどが貼り付けられることによって、当接した記録用紙Ｓの移動を制止するものであってもよい。
【００７７】
一方、当接部材１１７は、埋没位置のとき、凹部８６へ埋没することにより、支持部材１８９、１９２の平面４５に支持された記録用紙Ｓの給送向き８７の先端から離間する。
【００７８】
［トルクリミッタ１２７］
図５に示されるように、第３駆動伝達部３７のギヤ７７Ｂと回転軸５０との間に、トルクリミッタ１２７が設けられている。トルクリミッタ１２７は、第３駆動伝達部３７における回転駆動力の伝達の有無を切り替えることで、モータ７８から回転軸５０への駆動伝達の有無を切り替えるものである。
【００７９】
トルクリミッタ１２７は、フランジ部１２８と、摩擦部材（不図示）と、圧縮コイルばね（不図示）と、を備えている。フランジ部１２８は、回転軸５０の周面から突出している。摩擦部材は、回転軸５０の軸方向において、フランジ部１２８とギヤ７７Ｂとの間に配置されている。圧縮コイルばねは、回転軸５０の軸方向において、ギヤ７７Ｂに対して摩擦部材の反対側に配置されておりギヤ７７Ｂを摩擦部材側に付勢する。ギヤ７７Ｂは、圧縮コイルばねに付勢されることによって、摩擦部材を介してフランジ部１２８に押しつけられている。なお、トルクリミッタ１２７の構成は、上述した構成に限定されず、任意のトルクリミッタの構成を採用可能である。
【００８０】
上述した移動部材６４の動作において、スライド部材１１６が移動可能な状態である場合、トルクリミッタ１２７は、ギヤ７７Ｂから摩擦部材を介してフランジ部１２８に回転駆動力を伝達する。つまり、ギヤ７７Ｂとフランジ部１２８が設けられた回転軸５０とは、トルクリミッタ１２７を介して一体に回転する。
【００８１】
一方、上述した移動部材６４の動作において、第１側面１２２に向けて移動するスライド部材１１６が第１側面１２２に当接した場合、または、第２側面１２３に向けて移動するスライド部材１１６が第２側面１２３に当接した場合、トルクリミッタ１２７は、ギヤ７７Ｂから回転軸５０への回転駆動力の伝達を切断する。つまり、回転軸５０の回転がスライド部材１１６の第１側面１２２または第２側面１２３に対する当接によって規制されるため、回転軸５０の回転は停止し、ギヤ７７Ｂは回転軸５０に対して空回りする。すなわち、ギヤ７７Ｂは、回転軸５０とは独立して回転する。以上より、トルクリミッタ１２７は、第１側面１２２または第２側面１２３によって移動部材６４の移動が規制されると、第３駆動伝達部３７における回転駆動力の伝達を切断する。
【００８２】
なお、トルクリミッタ１２７が設けられる位置は、ギヤ７７Ｂと回転軸５０との間に限らない。例えば、トルクリミッタ１２７は、ギヤ７７Ａと当該ギヤ７７Ａの回転軸との間に設けられていてもよい。
【００８３】
［軸受け部１５０］
図８に示されるように、バイパストレイ７１の固定部１８５は、軸受け部１５０を備えている。軸受け部１５０は、以下に詳述されるように、回転軸５０の左右両端側を回転可能に支持するものである。
【００８４】
軸受け部１５０は、下側カバー１５１に設けられている。下側カバー１５１は、図４に示されるように、支持部材１８９を下方から支持している。支持部材１８９において、下側カバー１５１の給送向き８７の上流側の端付近に対応する位置に、軸受け部１５０が配置されている。軸受け部１５０は、左右方向９に離間されて一対が設けられている。軸受け部１５０の左右方向９における配置は、回転軸５０の右端部及び左端部に対応する。なお、図８では、回転軸５０の右端部に対応する位置の軸受け部１５０は、隠れており見えていない。軸受け部１５０は、下側カバー１５１から上方へ突出しており、その突出端側（上側）に、左右方向９に貫通する開口１５２が形成されている。図９に示されるように、この開口１５２に、回転軸５０が挿通されて回転可能に支持される。
【００８５】
なお、軸受け部１５０は、固定部１８５以外の部材、例えば筐体１４を構成するフレーム（不図示）に設けられていてもよい。また、軸受け部１５０は一対に限らず、例えば３つ以上が設けられてもよい。
【００８６】
［当接部１４０］
図８に示されるように、下側ガイド部材９７は、２つの当接部１４０を備えている。２つの当接部１４０は、左右方向９に離間されて下側ガイド部材９７と一体成形されている。
【００８７】
２つの当接部１４０は、２つの軸受け部１５０の間に配置されている。左右方向９において、２つの当接部１４０の一方は、分離部１３２と一対の凹部８６（詳細には凹部８６に配置された当接部材１１７（図９参照））のうちの左側の凹部８６との間に配置されている。２つの当接部１４０の他方は、分離部１３２と一対の凹部８６（詳細には凹部８６に配置された当接部材１１７（図９参照））のうちの右側の凹部８６との間に配置されている。
【００８８】
当接部１４０は、下側ガイド部材９７の給送向き８７の上流端部に設けられて、上面６９から上方へ起立されている。当接部１４０の上側には、回転軸５０に対して給送向き８７と反対向き側に設けられた第１当接部１４１と、回転軸５０に対して給送向き８７側に設けられた第２当接部１４２とが形成されている。第１当接部１４１と第２当接部１４２とは、前後方向８に沿って繋がっている。つまり、当接部１４０は、回転軸５０の給送向き８７と反対向き側に設けられた第１当接部１４１から、給送向き８７側に設けられた第２当接部１４２まで延びている。
【００８９】
図９に示されるように、軸受け部１５０に支持された回転軸５０は、第１当接部１４１と第２当接部１４２との間に位置する。第１当接部１４１と回転軸５０とは、給送向き８７に沿って間隔が空いている。つまり、第１当接部１４１は、静止している回転軸５０とは接触していない。第１当接部１４１と回転軸５０との間隔は、回転する回転軸５０が給送向き８７の上流側へ撓んだときに、その回転軸５０の撓み量が許容される程度に設定されている。ここで第１当接部１４１と回転軸５０との間隔に設定されている「回転軸５０の撓み量が許容される程度」とは、スライド部材１１６への駆動伝達において回転軸５０が撓んだり捻れたりしたとしても、当接部材１１７による記録用紙Ｓの制止機能が充分に発揮される程度をいう。回転軸５０の撓みは、突起５１がスライド部材１１６を給送向き８７に押したとき（スライド部材１１６が埋没位置の当接部材１１７を突出位置に移動させるとき）にスライド部材１１６から突起５１へ付与される力の反作用によって生じる。
【００９０】
第２当接部１４２と回転軸５０とは、給送向き８７に沿って間隔が空いている。つまり、第２当接部１４２は、静止している回転軸５０とは接触していない。第２当接部１４２と回転軸５０との間隔は、回転する回転軸５０が給送向き８７の下流側へ撓んだときに、その回転軸５０の撓み量が許容される程度に設定されている。ここで第２当接部１４２と回転軸５０との間隔に設定されている「回転軸５０の撓み量が許容される程度」とは、スライド部材１１６への駆動伝達において回転軸５０が撓んだり捻れたりしたとしても、当接部材１１７の面１２１が凹部８６内に完全に埋没して記録用紙Ｓの搬送に支障を来さない程度をいう。回転軸５０の撓みは、突起５１がスライド部材１１６を給送向き８７と逆向きに押したとき（スライド部材１１６が突出位置の当接部材１１７を埋没位置に移動させるとき）にスライド部材１１６から突起５１へ付与される力の反作用によって生じる。以上のことから、当接部１４０は回転軸５０の突起５１の近傍に設けられていることが望ましい。
【００９１】
なお、当接部１４０は、必ずしも下側ガイド部材９７と一体成形されている必要はない。例えば、当接部１４０は、下側ガイド部材９７とは別部材であって下側ガイド部材９７に固定された部材であってもよい。
【００９２】
また、当接部１４０は、左右方向９において、分離部１３２と凹部８６との間以外の位置、例えば左側の凹部８６と軸受け部１５０との間に配置されていてもよい。
【００９３】
また、第１当接部１４１及び第２当接部１４２は、回転軸５０に対して給送向き８７に間隔を開けずに、回転軸５０と当接した状態で配置されていてもよい。つまり、第１当接部１４１及び第２当接部１４２が、静止している回転軸５０と接触していてもよい。また、当接部１４０は、第２当接部１４２を備えることなく、第１当接部１４１だけを備えていてもよい。当接部材１１７を埋没位置から突出位置へと持ち上げる方向にスライド部材１１６を移動させる方が、当接部材１１７を突出位置から埋没位置へと下降させる方向にスライド部材１１６を移動させるよりも回転軸５０にかかる負荷が大きいためである。
【００９４】
［実施形態の作用効果］
本実施形態によれば、モータ７８から駆動伝達されて回転軸５０が一方向き（矢印１２４の向き）へ回転すると、給送向き８７へ移動するスライド部材１１６が埋没位置の当接部材１１７を突出位置へ移動させる。このときに、回転軸５０が給送向き８７と反対向きへ撓み始めても、当接部１４０の第１当接部１４１が回転軸５０に当接して回転軸５０が反対向きへ撓むことを抑制する。その結果、非給送時における記録用紙Ｓの移動を防止するための当接部材１１７に、回転軸５０からスライド部材１１６を通じて安定して駆動伝達して、当接部材１１７を所望の位置へ位置せしめることができる。
【００９５】
また、本実施形態によれば、当接部１４０が下側ガイド部材９７と一体に設けられているため、回転軸５０と下側ガイド部材９７との相対的な位置関係を維持して、スライド部材１１６により当接部材１１７を所定の突出位置に正確に位置させることができる。
【００９６】
また、本実施形態によれば、当接部１４０が第２当接部１４２を備えているため、モータ７８から駆動伝達されて回転軸５０が他方向き（矢印１２４の向きと逆向き）へ回転すると、給送向き８７と反対向きへ移動するスライド部材１１６が突出位置の当接部材１１７を埋没位置へ移動させる。このときに、回転軸５０が給送向き８７へ撓み始めても、第２当接部１４２が回転軸５０に当接して回転軸５０が給送向き８７へ撓むことを抑制する。
【００９７】
また、本実施形態によれば、当接部１４０が軸受け部１５０の間に配置されているため、軸受け部１５０の間において回転軸５０が撓むことを抑制できる。
【００９８】
また、本実施形態によれば、当接部材１１７が分離部１３２を挟んで２つ設けられているため、２つの当接部材１１７により、支持部材１８９、１９２に支持された記録用紙Ｓに対して均等に当接部材１１７の制止力を作用させることができる。
【００９９】
また、本実施形態によれば、給送装置がトルクリミッタ１２７を備えているため、スライド部材１１６の移動の規制によって回転軸５０が回転不可能な状態となっても、回転軸５０とは異なる駆動部へモータ７８から連続して駆動伝達することができる。
【０１００】
［変形例］
上述の実施形態において、給送装置７０は、バイパストレイ７１の平面４５に支持された記録用紙Ｓを給送する装置であったが、給送装置７０は、バイパストレイ７１の平面４５以外のトレイに支持された記録用紙Ｓを給送する装置であってもよい。例えば、給送装置７０は、給送トレイ２０に支持された記録用紙Ｓを給送するための装置であってもよい。
【０１０１】
また、上述の実施形態において、給送装置７０は、プリンタ部１１に設けられていたが、給送装置７０を備える装置はプリンタ部１１に限らない。例えば、給送装置７０は、スキャナ部１２に設けられていてもよい。この場合、給送装置７０は、スキャナ部１２によって画像を読み取られる用紙をスキャナ部１２内部へ給送するものである。
【符号の説明】
【０１０２】
１０・・・複合機
５０・・・回転軸
６９・・・上面
７２・・・給送部
７８・・・モータ
８７・・・給送向き
１１６・・・スライド部材
１１７・・・当接部材
１２１・・・面
１４０・・・当接部
１８５・・・固定部
１８９・・・支持部材
１９２・・・支持部材
【図１】
2015193444.tif 000003
【図２】
2015193444.tif 000004
【図３】
2015193444.tif 000005
【図４】
2015193444.tif 000006
【図５】
2015193444.tif 000007
【図６】
2015193444.tif 000008
【図７】
2015193444.tif 000009
【図８】
2015193444.tif 000010
【図９】
2015193444.tif 000011